(57)【特許請求の範囲】
【請求項１】
断熱材を有する壁面からなる壁体と、
保温部、及び該保温部の周囲に形成され、該壁体の一端縁部を嵌合させる嵌合溝を有する蓋体と、
保温部、及び該保温部の周囲に形成され、該壁体の他端縁部を嵌合させる嵌合溝を有する基台とを具備し、
該壁体の一端縁部を該蓋体の該嵌合溝に嵌合させると共に、該壁体の他端縁部を該基台の該嵌合溝に嵌合させることにより組み立てることができ、該嵌合溝に嵌合された壁体の両端縁部を外すことにより分解することができ、
該壁体は、多数の直線状の管状空気層が相互に平行に且つコンテナの高さ方向に対して直交するように配設されてなるダンボール材２枚で断熱材を挟持してなる壁面から構成される
ことを特徴とする保冷・保温コンテナ。
【請求項２】
該断熱材が板状の真空断熱材である
ことを特徴とする請求項１記載の保冷・保温コンテナ。
【請求項３】
壁体には、コンテナの高さ方向における圧縮強さを補強する補強部材が設けられていることを特徴とする請求項１又は２に記載の保冷・保温コンテナ。
【請求項４】
壁面から構成される壁体を折りたたんで蓋体と基台との間に収容可能となされており、少なくとも１の壁面はコンテナの幅方向中央部に設けられている谷折部を有し、隣接する壁面間に折りたたまれることを特徴とする請求項１〜３のいずれかに記載の保冷・保温コンテナ。
【請求項５】
壁体の両端縁部に設けられた複数の貫通孔と、
蓋体又は基台の嵌合溝に配され、コンテナの組み立て時には該貫通孔に挿入されて壁体を係止する保持具と
からなるロック部が設けられている、ことを特徴とする請求項１〜４のいずれかに記載の保冷・保温コンテナ。
【発明の詳細な説明】
【技術分野】
【０００１】
本発明は、分解・組み立て可能な保冷・保温コンテナに関する。
【背景技術】
【０００２】
保冷・保温コンテナは、生鮮食料品等の運搬に用いられている。従来は、発泡スチロール製のコンテナが一般的に用いられていたが、かかる発泡スチロール製のコンテナはコンテナ自体が一定の大きさを有するものであるため、相当規模のコンテナの保管スペースが必要になるという問題があった。
【０００３】
そこで、折りたたみ可能なコンテナが特許文献１等において提案されている。
かかる折りたたみ可能なコンテナ１０１は、図７（ａ）および（ｂ）に示すように、断熱性ボード１０２  ５個で直方体に構成されると共に蓋体１０３により上方開口を開閉自在に封止可能になされており、断熱性ボード１０２の各端部に各々特殊な断面を有する長尺の端部部材１０４を設けてあり、この各端部部材１０４が軟質樹脂で形成されていて所定位置に切り欠き部を有する。そして、図７（ｃ）に示すように、この切り欠き部で直角に曲げることにより、断熱性ボード１０２を折りたたむことができるものである。
【特許文献１】実開平４−９７０３０号公報
【発明の開示】
【発明が解決しようとする課題】
【０００４】
しかし、特許文献１に示すコンテナ１０１は、内容物を収容した状態でスタック可能であり、不使用時には折りたたんで収納することが可能なものであるものの、図7（ｃ）に示すように、いまだ断熱性ボード１０２  2個分の保管スペースが必要であると共に、断熱性ボード１０２と蓋体１０３とが異なる大きさであるためそれぞれを別個に収納しなければならず、結果的に大きな収容スペースが必要になるという問題もある。また、この提案にかかるコンテナでは、未だ要求されているほどに高い保冷・保温効果が得られていない。
要するに、よりコンパクトに収容できて、保管スペースが少なくて済み、保冷・保温効果に優れ、内容物を収容した状態でスタック可能な保冷・保温コンテナの開発が要望されているのが現状である。
【０００５】
従って、本発明は、よりコンパクトに収容できると共に保冷・保温効果が高く、軽量で強度に優れスタック可能な保冷・保温コンテナを提供することを目的とする。
【課題を解決するための手段】
【０００６】
すなわち、本発明は、断熱材を有する壁面からなる壁体と、保温部、及び該保温部の周囲に形成され、該壁体の一端縁部を嵌合させる嵌合溝を有する蓋体と、保温部、及び該保温部の周囲に形成され、該壁体の他端縁部を嵌合させる嵌合溝を有する基台とを具備し、該壁体の一端縁部を該蓋体の該嵌合溝に嵌合させると共に、該壁体の他端縁部を該基台の該嵌合溝に嵌合させることにより組み立てることができ、該嵌合溝に嵌合された壁体の両端縁部を外すことにより分解することができる保冷・保温コンテナを提供するものである。
また、本発明は、該断熱材が板状の真空断熱材である上記保冷・保温コンテナを提供するものである。
また、本発明は、該壁体が、多数の直線状の管状空気層が相互に平行に且つコンテナの高さ方向に対して直交するように配設されてなるダンボール材2枚で断熱材を挟持してなる壁面から構成される上記保冷・保温コンテナを提供するものである。
また、本発明は、壁体には、コンテナの高さ方向における圧縮強さを補強する補強部材が設けられている上記保冷・保温コンテナを提供するものである。
また、本発明は、壁面から構成される壁体を折りたたんで蓋体と基台との間に収容可能となされており、少なくとも１の壁面はコンテナの幅方向中央部に設けられている谷折部を有し、隣接する壁面間に折りたたまれる上記保冷・保温コンテナを提供するものである。
また、本発明は、壁体の両端縁部に設けられた複数の貫通孔と、蓋体又は基台の嵌合溝に配され、コンテナの組み立て時には該貫通孔に挿入されて壁体を係止する保持具とからなるロック部が設けられている上記保冷・保温コンテナを提供するものである。
【発明の効果】
【０００７】
本発明の保冷・保温コンテナは、よりコンパクトに収容できると共に保冷・保温効果が高く、軽量で強度に優れスタック可能なものである。
【発明を実施するための最良の形態】
【０００８】
以下、実施例及び比較例に基づき本発明をさらに具体的に説明するが、本発明はこれらに制限されるものではない。
ここで、図1は、本発明の保冷・保温コンテナの分解斜視図であり、図2は図１のII-II断面図であり、図３は、図１のIII部内部透視拡大図であり、ダンボール材の内部構造を示すと共に壁体の内部構造を示す図である。図４は図１のIV−IV断面図である。また、図５は、図1に示す壁体を折りたたむ態様を示す概略図であり、図６は、壁体を完全に折りたたんで蓋体と基台との間に収容してなる状態を示す斜視図である。
【０００９】
図1に示す本実施形態の保冷・保温コンテナ１は、断熱材１３を有する壁面１０ａ，１０ａ’からなる壁体１０と、保温部２１、及び保温部２１の周囲に形成され、壁体１０の一端縁部１１を嵌合させる嵌合溝２４を有する蓋体２０と、保温部３１、及び保温部３１の周囲に形成され、壁体１０の他端縁部１２を嵌合させる嵌合溝３４を有する基台３０とを具備し、壁体１０の一端縁部１１を嵌合溝２４に嵌合させると共に、壁体１０の他端縁部１２を嵌合溝３４に嵌合させることにより組み立てることができ、嵌合溝２４，３４に嵌合された壁体１０の両端縁部１１，１２を外すことにより分解することができる。
【００１０】
さらに詳細に説明する。
本実施形態のコンテナ１は、全体で６面体を構成する。そして、壁体１０は、その壁面１０ａ、１０ａ’により、それぞれ平面正方形状の蓋体２０及び基台３０の間の４面を構成する。
各壁面１０ａ，１０ａ’は、図２〜４に示すように長方形状の断熱材１３の４方を発泡スチロール製の板体１３ａで囲み、これらの全面をダンボール材１４  ２枚で狭持してなり、各壁面１０ａ、１０ａ’は、ダンボール材１４  ２枚のみを貼り合わせて形成された連設部１６を介して連設されている。
そして、本実施形態において、ダンボール材１４は、多数の直線状の管状空気層１４ａが相互に平行に且つコンテナの高さ方向に対して直交するように配設されてなる。さらに具体的には管状空気層１４ａは断面正方形状であり、その内部において、断面×字状の補強材１４ｂ（図２参照）が管状空気層１４ａの長さ方向全体に亘って配されている。補強材１４ｂが配されていることにより、筋交い様の作用が生じてコンテナの高さ方向の圧縮強度が高くなる。ダンボール材１４の形成材料としては、紙やプラスチック等が挙げられ、本実施形態においてはプラスチックが用いられている。
本発明者は、従来の保冷・保温コンテナよりも保冷・保温効果に優れたコンテナの開発研究を行ったところ、ダンボール材の管状空気層をコンテナの高さ方向に沿って配するとコンテナ内部において空気の対流が生じて熱損失が発生し、その結果保冷・保温効果が減少することを知見した。そして、いかにすれば空気の対流が生じないようになるか検討した結果、ダンボール材の配置方向をコンテナの高さ方向に対して直交する方向とすれば、特別な材料を用いる必要も無く、また特に製造工程に変更を加えることもなく所望の保冷・保温効果が得られることを見出し、本発明の好ましい態様として上述の構成を採用することとしたものである。
【００１１】
断熱材１３としては、本実施形態においては真空断熱材を用いている。真空断熱材としては、グラスウールをアルミ蒸着フィルム等からなる包装用袋に封入し、内部を真空にして密封してなるもの、具体的には、商品名「ＶＩＰ」マグ社製等を用いることができる。
【００１２】
壁体１０には、各壁面１０ａ、１０ａ’の連設部１６近傍に、コンテナの高さ方向における圧縮強さを補強する補強部材１５が設けられている。本実施形態においては、ステンレス製の板体が補強部材１５として壁体の幅方向全体に亘って配設されている。また、本実施形態においては、各壁面１０ａ、１０ａ’はそれぞれ山折に折りたたみ可能に連設部１６を介して連設されている。更にそのうちの一の対向する2面１０ａ’は、そのコンテナの周方向中央に断熱材１３や板体１３ａを設けない領域を設け、表裏両面のダンボール材１４  ２枚を貼り合わせてなる直線状の谷折部１７が設けられており、谷折に（コンテナの内方に向けて）折りたたみ可能となされている。
【００１３】
蓋体２０及び基台３０は、それぞれ同様に構成されているので、基台３０について説明する。蓋体についても同様の部材には２０番台とした以外は同様の番号（たとえば、参照番号３１に対して参照番号２１）を付してある。
基台３０は、平面正方形状で中空部３２ａを有する中央台部３２、中央台部３２から延出され基台の外壁を構成する外壁部３３、及び中央台部３２上に正方形状の発泡スチロール板を固定して形成された保温部３１とからなる。そして、保温部３１と外壁部３３との間に壁体の他端縁部１２を嵌合させる嵌合溝３４が形成されている。
また、蓋体２０及び基台３０の平面形状は、それぞれ壁面１０ａ、１０ａ’の大きさよりも若干大きくなされている。
【００１４】
また、壁体１０の両端縁部１１，１２には、複数の貫通孔４１が設けられている。そして、蓋体２０及び基台３０の各中空部２２ａ，３２ａには、断面Ｌ字状の保持具４２が弾性部材４３により嵌合溝２４，３４側に付勢されて設けられている。保持具４２の先端４２ａは嵌合溝２４，３４内に位置し、テーパー状の形状とされている。また、保持具４２の基端４２ｂは、その一部が蓋体２０及び基台３０に設けられた開口４４から外方に突出している。これらの構成により、使用時には保持具４２の先端４２ａが該貫通孔４１に挿入されて蓋体１０を係止するロック部４０が設けられている。
【００１５】
また、本実施形態においては、特に図示しないが、基台はその下部にキャスターを設けることができ、蓋体の上面には該キャスターを嵌め込み蓋体上に基台をスタックできるようにするキャスター収容溝を設けることができる。
【００１６】
本実施形態の保冷・保温コンテナ１は、図１に示すように、壁体１０を平面正方形となるように組み立て、壁体１０の他端縁部１２を基台３０の嵌合溝３４に挿入し嵌合させる。この際、壁体１０の他端縁が保持具４２の先端４２ａを押し込むことにより保持具４２が図２の矢印Ｄ１方向に移動する。次いで壁体１０の挿入が進行し、先端４２ａが貫通孔４１に位置すると、弾性部材４３の付勢力により保持具４２が矢印Ｄ２方向に移動して貫通孔４１を貫通する。これを全ての嵌合溝３４について行うことにより、基台３０と壁体１０とを連結することができ、ここで、生鮮食料品や各種料理などの保冷・本が必要な所定の内容物を収容し、更に蓋体２０についても同様の作業を行うことで６面体のコンテナが形成される。ロック部４０の作用により、コンテナの移動中に蓋体２０及び基台３０と壁体１０とが外れることがない。
そして、コンテナ１を分解する際には、保持具４２の基端４２ｂをコンテナ１の外方から矢印Ｄ１方向に引くことにより、ロックを外して、蓋体２０及び基台３０と壁体１０とを外すことにより内容物を取り出すことができる。
【００１７】
上述のように構成された本実施形態の保冷・保温コンテナ１は、壁面１０ａ、１０ａ’から構成される壁体１０を折りたたんで蓋体２０と基台３０との間に収容可能となされており、少なくとも１の壁面１０ａ’はコンテナの幅方向中央部に設けられている谷折部１７を有し、隣接する壁面１０ａ間に折りたたまれる。具体的には、本実施形態においては、図５に示すように、一の対向する２面１０ａ’が谷折りに折りたたまれて、他の対抗する2面１０ａの間に一の対向する2面１０ａ’が位置するように、壁体１０全体を折りたたむことができる。
そして、図６に示すように、折りたたまれた壁体１０を基台２０と蓋体３０との間に収容することで、コンパクトな収容形態とすることができる。そして、この収容形態では、平面形状が基台及び蓋体の平面形状に等しいので、複数種類の部材を収容できるような収容場所を確保する必要が無く、その結果、コンパクトに収容できる。
【００１８】
なお、本発明は上述の実施例に制限されるものではなく、本発明の趣旨を逸脱しない範囲で種々変更可能である。
たとえば、ダンボール材としては、通常のダンボール材や、管状空気層を有しない特殊なダンボール材を用いることもできる。
【図面の簡単な説明】
【００１９】
【図１】図1は、本発明の保冷・保温コンテナの分解斜視図である。
【図２】図2は図１のII-II断面図である。
【図３】図３は、図１のIII部内部透視拡大図であり、ダンボール材の内部構造を示すと共に壁体の内部構造を示す図である。
【図４】図４は図１のIV−IV断面図である。
【図５】図５は、図1に示す壁体を折りたたむ態様を示す概略図である。
【図６】図６は、壁体を完全に折りたたんで蓋体と基台との間に収容してなる状態を示す斜視図である。
【図７】図７は、従来の保冷コンテナを示す図であり、（ａ）及び（ｂ）は、それぞれ使用態様を示す断面図、（ｃ）は、折りたたんだ状態を示す側面図である。
【符号の説明】
【００２０】
保冷・保温コンテナ１；壁体１０；壁面１０ａ，１０ａ’；一端縁部１１；他端縁部１２；断熱材１３；ダンボール材１４；管状空気層１４ａ；補強部材１５；連設部１６；谷折部１７；蓋体２０；保温部２１；中央台部２２；中空部２２ａ；外壁部２３；嵌合溝２４；基台３０；保温部３１；中央台部３２；中空部３２ａ；外壁部３３；嵌合溝３４；ロック部４０；貫通孔４１；保持具４２
【要約】
【課題】コンパクトに収容できると共に保冷・保温効果が高く、軽量で強度に優れスタック可能な保冷・保温コンテナを提供すること。
【解決手段】断熱材を有する壁面からなる壁体と、保温部、及び該保温部の周囲に形成され、該壁体の一端縁部を嵌合させる嵌合溝を有する蓋体と、保温部、及び該保温部の周囲に形成され、該壁体の他端縁部を嵌合させる嵌合溝を有する基台とを具備し、該壁体の一端縁部を該蓋体の該嵌合溝に嵌合させると共に、該壁体の他端縁部を該基台の該嵌合溝に嵌合させることにより組み立てることができ、該嵌合溝に嵌合された壁体の両端縁部を外すことにより分解することができる保冷・保温コンテナ。
【選択図】図１【図１】
0004189022.tif 000002
【図２】
0004189022.tif 000003
【図３】
0004189022.tif 000004
【図４】
0004189022.tif 000005
【図５】
0004189022.tif 000006
【図６】
0004189022.tif 000007
【図７】
0004189022.tif 000008